(57)【要約】【目的】農家等が使用する用水路及び側溝から、田畑に水を引き込む時の水量を、回転重錘の移動によって開閉扉の開閉を調節する装置である。【構成】用水路等に装設する水路流量調整装置は、用水路の上部に設けた軸受に架設した回転軸に扉体枠、支持アングル及び補強桟によって枠組した逆三角形を一体に固定し、案内軌条に載置した回転重錘の移動によって開閉扉本体に加わる水圧力が軽減して扉体を斜め上向きに浮き上がらせ、取水口を開放度を増減して水の放流量を増加又は減少することを特徴としている。【特許請求の範囲】
【請求項１】
流量調整装置（１）は、各種の用水路（１８）の所定位置に相対する軸受（９）を設け、該軸受（９）には、回転自在の回転軸（８）を架設し、該回転軸（８）には、扉体（５）を設けた開閉扉本体（２）の扉体枠（６）（６）の上端を前後２ヶ所に固定し、該扉体枠（６）（６）には、傾斜した支持アングル（１０）（１０）と前後の補強桟（１１）（１１）とによって略逆三角形状に枠組し、回転重錘（３）を受持する該補強桟（１１）（１１）と、案内軌条（１３）（１３）とを設け、該案内軌条（１３）（１３）には、回転重錘（３）の両端に設けた案内回転体（１４）（１４）を移動自在に載置したことを特徴とした回転重錘による水路流量調整装置。
【発明の詳細な説明】
【０００１】
【産業上の利用分野】
本発明は、農家等が田畑に対し、堰などの水路からの取水する時の水量、水位、流水及び水圧等によって対応する開閉扉本体の開閉操作を回転重錘の回転移動によって開閉調整できる回転重錘による水路流量調整装置に関するものである。
【０００２】
【従来の技術】
従来、この種の河川及び水路より取水する場合又は水量を調整する場合には、水流の方向を垂直に遮断する鋼製の水門を使用するか、水路底面より扉体を起状させる鋼製の堰を使用する。更に、コンクリート塊や扁平木材等を上流側に装設する方法等が一般的に実施されている現状である。
【０００３】
【発明が解決しよとうする課題】
上記の如く、従来のもので述べた鋼製の水門や堰は、大変に複雑な機構であり、且つ大変に高価となる問題点と、設置をする際には、一時的に水流を止めることが必要となり、工事期間も長期化すると云う問題点もある。
また、コンクリート塊による堰の場合には、上流側に土砂が堆積して河床が高くなり、洪水等の危険度が増大し、緊急時の撤去は、極めて困難となる点と、扁平な木材の堰による場合には、増水時には、過大な水圧と水深により撤去が大変に困難となる問題点がある。
そして、以上のように各種の水門・堰等には、開放の調整には、人為的関与が必要となる為に深夜等の増水時の対応は極めて困難となるものである。
本発明は、上記従来の問題点を解決する為になされたものであり、その主たる目的とする所は、回転重錘の移動による非常に簡単な作動構造で、取水調整ができる堰を装設し、緊急の増水時には人為的な関与をより軽減し、取水の調整と、洪水等の防止を解決したものである。
【０００４】
【課題を解決するための手段】
上記目的を達成するために、本発明の回転重錘の水路流量調整装置によれば、各種の用水路に相対する軸受を装設し、この軸受には回転自在の回転軸を架設する。該回転軸には、扉体枠の上端と前後に傾斜した支持アングルと前後の補強桟とによって略逆三角形状に一体的に枠組している。また、回転重錘を支持するのに補強桟と案内軌条を載置してある。該案内軌条には、上部を転動する回転重錘の両端に設けた案内回転体を移動自在に載置したものである。
【０００５】
【実施例】
本発明の一実施例を図面を参照して説明すると、図１に示すものは、農道（２０）に設けた用水路（１８）に流量調整装置（１）における開閉扉本体（２）を装設した状態を示したもので、該開閉扉本体（２）は、ステンレスまたは各種の金属製を以って形成されている。該開閉扉本体（２）の用水路（１８）の上部には、相対向して固定した軸受（９）（９）を設け、該軸受（９）（９）には、回転軸（８）を回動自在に軸支されている。また、該回転軸（８）には、両端の近辺に相対向するＬ型等の扉体枠（６）（６）を図２の如く、後方に傾斜して上部を一体に固定する。該扉体枠（６）（６）には、内部に扉体（５）及び中央に扉体補強桁（７）を以って構成してある。
次に、該扉体枠（６）（６）の下端には、図２に示す如く前後の両端に所定の角度を以って傾斜した支持アングル（１０）（１０）を軸着（４）（４）してある。該支持アングル（１０）（１０）の後方は、架設された補強桟（１１）に取着されている。
【０００６】
次に、回転重錘（３）は、断面円形状を有し、内部を貫通した重錘軸（１２）を設け、該重錘軸（１２）には、両端に案内回転体（１４）（１４）を装設してある。該回転重錘（３）は、両端の該案内回転体（１４）（１４）が回転移動する回転重錘（３）を受持する案内軌条（１３）（１３）の上部に装設されている。該案内軌条（１３）（１３）は、一方を該回転軸（８）に固定され、他方が後方の該補強桟（１１）に架設固定されている補強桟（１１）に一体的に装設されている。
【０００７】
更に、図３に示す一実施例としての案内軌条（１３）には、該案内軌条（１３）の表面にギヤーを形成し、該案内回転体（１４）をスプロケットギヤーとし、該スプロケットギヤーには、該回転重錘（３）を移動する逆転防止付の回転ハンドル（１５）を装設したものを示したものである。
なお、符号（１６）は、該案内回転体（１４）に設けた固定ピンが嵌合する多数の孔を設けた案内枠を示したものである。また、符号（１７）は、扉体（５）の両側面に装設した止水ゴム片を示し、（１９）は、用水路（１８）の取水口を示したものである。
【０００８】
【作用】
本発明は、上述の如き構成からなり、各種の用水路（１８）に流量調整装置（１）を架設した回動自在の回転軸（８）に垂下した扉体（５）の作用を説明すると、今、用水路（１８）の水量を少量ずつ流水させる場合は、図４に示す如く、取水口（１９）よりの水圧に対して、該回転重錘（３）は、左端部の位置に停止させれば、重心が支持アングル（１０）及び扉体枠（６）（６）を伝えて押圧維持して取水口（１９）の下端の隙間を狭くして、水の流水量を少量または停水することが出来る。
次に、水路に多量の水を流水する場合は、図４に示す、回転重錘（３）を右方向に回転移動させると、扉体（５）に加わる圧力が軽減し、該回転重錘（３）の重心が扉体（５）の扉体枠（６）（６）の方に移動し、扉体（５）に対する取水口（９）より水圧が大きくなり、扉体（５）は扉体枠（６）（６）と共に、矢印の方向に押圧して浮き上がり底部との隙間が大きくなって、多量の水を流すことが出来る。
なお、本発明の堰の回転重錘（３）の移動について説明すると、回転重錘（３）の重量を例えば、５０ｋｇ未満にした場合は、手動によって円筒状の回転重錘（３）を右方向に回転し、該回転重錘（３）と一体となっている案内回転体（１４）等を固定ピン等で固定停止させる。
さらに、回転重錘（３）の重量を例えば、５０ｋｇを超える場合は、重錘軸（１２）に図面に示すようなスプロケットギヤー等の案内回転体（１４）を装着し、案内軌条（１３）上を逆転防止付の回転ハンドル（１５）を用いて右方向に移動固定する。
なお、回転重錘（３）の移動方法としては、チェーン駆動式、スプンドルネジ式、ピンラック式及びワイヤー式等の方法がある。
【０００９】
【発明の効果】
本発明は、上述のように構成されているので、水量、流水量及び水圧等に応じて、引水の水量を、回転重錘の回転移動位置の決定により、極めて簡単な操作によって水量流出の調整が出来る便利な効果と、従来のような鋼製の水門や堰のように、桟構が複雑でなく、且つ一時的にも水流を止める必要もない便利な効果がある。そして、用水路の軸受に対して回転自在に回転軸を設け、この回転軸に開閉扉本体の扉体枠と支持アングルを一体に軸着することによって、予め取水口側に対する傾斜角度を容易に決定できる便利な効果と、扉体枠と傾斜した支持アングルと前後の補強桟とによって容易に回転自在の逆三角形状に枠組でき、且つ補強桟と案内軌条によって確実に回転重錘を載置支持できる効果がある。また、回転重錘の回転による移動は容易であると共に、重錘の移動によって比重が容易に変動し、開閉扉に加わる水圧力が軽減して扉体は斜め上方に浮き上がり、水路内面との開放度が増し、放流量は確実に増加すると云う効果がある。
【図面の簡単な説明】
【図１】本発明の装置を用水路に装設した状態を示す、一部欠除した全体の正面図である。
【図２】本発明の回転重錘を載せない状態の一部欠除した開閉扉本体を枠組した側面図である。
【図３】本発明の装置の一部欠除した上面図である。
【図４】同じく本発明の回転重錘を載置した一部欠除した装置全体の側面図である。
【符号の説明】
１　　　　流量調整装置
２　　　　開閉扉本体
３　　　　回転重錘
４　　　　軸着
５　　　　扉体
６　　　　扉体枠
７　　　　扉体用補強桁
８　　　　回転軸
９　　　　軸受
１０　　　支持アングル
１１　　　補強桟
１２　　　重錘軸
１３　　　案内軌条
１４　　　案内回転体
１５　　　回転ハンドル
１７　　　止水ゴム
１８　　　用水路
１９　　　取水口
【図１】
2004060410.tif 000002
【図２】
2004060410.tif 000003
【図３】
2004060410.tif 000004
【図４】
2004060410.tif 000005